(57)【要約】      （修正有）【課題】おもちゃ風船の技術分野に関する、風船の水充填装置を提供する。【解決手段】風船水充填装置は水充填ヘッドおよび複数本の導水管２を含み、水充填ヘッドは前端部と後端部を含み、前端部は第一側面１１１と第一側面１１１から延出して形成される第二側面を含み、第一側面１１１と第二側面が囲んでキャビティを有する錐形構成を形成しており、第一側面１１１に進水口が設けられ、第二側面に出水口が設けられ、進水口と出水口はともにキャビティに連通しており、進水口の直径は出水口の直径より小さくされており、後端部は第二側面に密閉接続される底端面を含み、後端部の底端面に複数個の取付穴１２１が設けられており、導水管２の一端は取付穴１２１に挿設されており、導水管２の他端は風船３に套設される。【選択図】図２
0003224519.tif 000002
【実用新案登録請求の範囲】
【請求項１】
風船水充填装置であって、
前記風船水充填装置は水充填ヘッドおよび複数本の導水管を含み、
前記水充填ヘッドは前端部と後端部を含み、
前記前端部は第一側面と第一側面から延出して形成される第二側面を含み、前記第一側
面と第二側面が囲んでキャビティを有する錐形構成を形成しており、前記第一側面に進水
口が設けられ、前記第二側面に出水口が設けられ、前記進水口と前記出水口はともに前記
キャビティに連通しており、前記進水口の直径は前記出水口の直径より小さくされており
、
前記後端部は前記第二側面に密閉接続される底端面を含み、前記後端部の底端面に複数
個の取付穴が設けられており、
前記導水管の一端は前記取付穴に挿設されており、前記導水管の他端は前記風船に套設
される、
ことを特徴とする風船水充填装置。
【請求項２】
前記第二側面の内壁にネジ溝が設けられ、前記後端部の外壁に前記ネジ溝に合致する外
ネジが掘設されており、
前記後端部は前記外ネジが前記ネジ溝に締合することにより前記前端部に接続されてい
る、
ことを特徴とする請求項1に記載の風船水充填装置。
【請求項３】
前記後端部の底端面は前記第二側面の端面と面一でありまたはそれより高くされている
、
ことを特徴とする請求項1に記載の風船水充填装置。
【請求項４】
前記導水管はチャンパーを有する構成とされており、
前記導水管はそれぞれ前記チャンパーに連通する第一端と第二端を含み、
前記導水管の第一端が前記取付穴を貫通して前記導水管のチャンパーが前記前端部のキ
ャビティに連通するように形成されており、
前記導水管の第二端に複数個の対向穴が開設されている、
ことを特徴とする請求項1に記載の風船水充填装置。
【請求項５】
さらに前記風船に取外し可能に接続されるための環形固定部品を含み、
前記風船における開口側の一端が導水管を套設して前記環形固定部品が前記風船を套設
することにより前記風船を前記導水管に固定接続するように形成されている、
ことを特徴とする請求項4に記載の風船水充填装置。
【請求項６】
前記環形固定部品の直径は前記風船の開口の直径より小さくされている、
ことを特徴とする請求項5に記載の風船水充填装置。
【考案の詳細な説明】
【技術分野】
【０００１】
本実用新案は本実用新案はおもちゃ風船の技術分野に関するもので、特に風船の水充填
装置に関する。
【背景技術】
【０００２】
風船とは、空気または他のガスが充満される密閉袋である。それは、おもちゃとされる
だけでなく、運送具としても作用を発揮する。様々な種類があるが、天然ゴム製の風船を
紹介する。例えば、広告内容が印刷された開業祝いの宣伝アーチとか、新人の写真が印刷
された結婚式のアーチとか、舞踏会や結婚花車の飾りものなどとして風船は活躍している
。今現在の活動では注目される美しいシーンとなり、人々の愛顧をよく受けている。風船
はおもちゃとして、昔から「洋なす」という別称がある。その開口部に小さな竹の口笛が
ある。風船を十分に吹いて出口を開くと、大きな音がする。装飾品だけでなく、風船は運
送具としても利用できる。体積が十分に大きくて、かつ内含されるガスが等体積の空気よ
り軽ければ、浮力がエアバッグおよび付属物（かご、熱気球など）の重量を超える場合、
風船が上昇する。
【０００３】
ところで、風船の水充填装置は市販されている。便利かつ構造が簡単であるという利点
がある。風船に水を充填する前に、風船の水充填装置と水道アダプターを接続する必要が
ある。風船の水充填装置の水充填ヘッドを接続する水道アダプターは、図1に示されるよ
うに、国際標準のものとなる。水充填ヘッドの端面面積と水道アダプターの端面面積とを
一致させため、一般的に水充填ヘッドの取付穴の数は37個とされる。つまり、一回で最大
限に37個の風船にしか同時に水を充填することができなく、それより多くの風船を同時に
水を充填することが不可能である。
【考案の概要】
【０００４】
上記の課題を解決するために、本実用新案は風船水充填装置を提供する。水充填ヘッド
の前端部は錐形設計の構成とすることにより、第二側面と底端面の大きさが合致するよう
になる。これにより、容積拡大の効果を実現する。そして、前端部の第一側面と水管接ヘ
ッドの大きさが合致することにより、水充填ヘッドと水管接ヘッドの接続が不便であると
いう問題を解消する。また、その構成が簡単であるので、一回でより多くの水充填を行い
得、製造コストを低減する。好ましくは、前記取付穴の数が少なくとも50個とすることが
可能になる。国際標準における37穴設計に対して、水充填ヘッドの構成を最適化し、水充
填効率を大幅に向上する。
【０００５】
上記の目的を達成するために、本実用新案は下記の技術案を採用する。前記風船水充填
装置は水充填ヘッドおよび複数本の導水管を含み、前記水充填ヘッドは前端部と後端部を
含み、前記前端部は第一側面と第一側面から延出して形成される第二側面を含み、前記第
一側面と第二側面が囲んでキャビティを有する錐形構成を形成しており、前記第一側面に
進水口が設けられ、前記第二側面に出水口が設けられ、前記進水口と前記出水口はともに
前記キャビティに連通しており、前記進水口の直径は前記出水口の直径より小さくされて
おり、前記後端部は前記第二側面に密閉接続される底端面を含み、前記後端部の底端面に
複数個の取付穴が設けられており、前記導水管の一端は前記取付穴に挿設されており、前
記導水管の他端は前記風船に套設されるものである。
【０００６】
好ましくは、前記第二側面の内壁にネジ溝が設けられ、前記後端部の外壁に前記ネジ溝
に合致する外ネジが掘設されており、前記後端部は前記外ネジが前記ネジ溝に締合するこ
とにより前記前端部に接続されている。
【０００７】
好ましくは、前記後端部の底端面は前記第二側面の端面と面一でありまたはそれより高
くされている。
【０００８】
好ましくは、前記導水管はチャンパーを有する構成とされており、前記導水管はそれぞ
れ前記チャンパーに連通する第一端と第二端を含み、前記導水管の第一端が前記取付穴を
貫通して前記導水管のチャンパーが前記前端部のキャビティに連通するように形成されて
おり、前記導水管の第二端に複数個の対向穴が開設されている。
【０００９】
好ましくは、さらに前記風船に取外し可能に接続されるための環形固定部品を含み、前
記風船における開口側の一端が導水管を套設して前記環形固定部品が前記風船を套設する
ことにより前記風船を前記導水管に固定接続するように形成されている。
【００１０】
好ましくは、前記環形固定部品の直径は前記風船の開口の直径より小さくされている。
【００１１】
本実用新案の有益な効果は以下の如くである。本実用新案における風船の水充填装置の
水道アダプターの外壁に外ネジを設けて、前記第一側面の内壁に外ネジに合致する内ネジ
を設ける。組み立てるときには、水道アダプターを外ネジにて第一側面の内ネジにねじり
込む。これにより、水道アダプターを安定的に水充填ヘッドに接続する。風船に水を充填
するときには、水流が進水口を経てキャビティ内に流入し、出水口から導水管内に流入す
る。これにより、風船への水充填を実現する。より多くの風船に対して一回で同時に水充
填を行うために、後端部の底端面の面積を増大する必要があるが、本実用新案の前端部は
錐形設計の構成を採用することにより、第二側面と底端面の大きさが合致するようになり
、拡大の効果を実現する。また、前端部の第一側面と水管接ヘッドの大きさが合致するこ
とにより、水充填ヘッドと水管接ヘッドの接続が不便であるという問題を解消する。また
、構成は簡単で、一回で同時により多くの水充填を行い得、製造コストを低減する。水充
填ヘッドの構成を最適化し、水充填効率を大幅に向上する。
【図面の簡単な説明】
【００１２】
【図１】国際標準水道アダプターの構成模式図。
【図２】本実用新案にかかる構成模式図。
【図３】本実用新案にかかる水充填ヘッドおよび国際標準による水道アダプターの構成模式図。
【図４】本実用新案にかかる水充填ヘッドおよび国際標準による水道アダプターの分解構成模式図。
【図５】本実用新案にかかる水充填ヘッドの構成模式図。
【図６】本実用新案にかかる水充填ヘッドの後端部の構成模式図。
【考案を実施するための形態】
【００１３】
本分野当業者に容易に理解されるために、さらに実施例と図面を参考しながら本実用新
案を以下のように説明する。ただし、実施の形態およびその内容は本実用新案の限定と理
解してはならない。
【００１４】
図1から図6に示すように、本実用新案に提供される風船水充填装置は水充填ヘッド1お
よび複数本の導水管2を含み、前記水充填ヘッド1は前端部11と後端部12を含み、前記前端
部11は第一側面111と第一側面111から延出して形成される第二側面112を含み、前記第一
側面111と第二側面112が囲んでキャビティを有する錐形構成を形成しており、前記第一側
面111に進水口が設けられ、前記第二側面112に出水口が設けられ、前記進水口と前記出水
口はともに前記キャビティに連通しており、前記進水口の直径は前記出水口の直径より小
さくされており、前記後端部12は前記第二側面112に密閉接続される底端面を含み、前記
後端部12の底端面に複数個の取付穴121が設けられており、前記導水管2の一端は前記取付
穴121に挿設されており、前記導水管2の他端は前記風船3に套設されるものである。
【００１５】
本実施例にかかる技術案の実際適用においては、水道アダプター901の外壁に外ネジを
設けて、前記第一側面111の内壁に外ネジに合致する内ネジを設ける。組み立てるときに
は、水道アダプター01を外ネジにて第一側面111の内ネジにねじり込む。これにより、水
道アダプター01を安定的に水充填ヘッド1に接続する。風船3に水を充填するときには、水
流が進水口を経てキャビティ内に流入し、出水口から導水管2内に流入する。これにより
、風船3への水充填を実現する。より多くの風船3に対して一回で同時に水充填を行うため
に、後端部12の底端面の面積を増大する必要があるが、本実用新案の前端部11は錐形設計
の構成を採用することにより、第二側面112と底端面の大きさが合致するようになり、容
積拡大の効果を実現する。また、前端部11の第一側面111と水管接ヘッドの大きさが合致
することにより、水充填ヘッド1と水管接ヘッドの接続が不便であるという問題を解消す
る。また、構成は簡単で、一回で同時により多くの水充填を行い得、製造コストを低減す
る。好ましくは、前記取付穴121の数は少なくとも50個とする。このように可能とすると
、国際標準による37穴の設計に対しては、本願は水充填ヘッド1の構成を最適化し、水充
填効率を大幅に向上している。
【００１６】
本実施例では、前記第二側面112の内壁にネジ溝1121を設けて、前記後端部12の外壁に
ネジ溝1121に合致する外ネジ122を掘設する。前記後端部12は外ネジ122にてネジ溝1121内
にねじり込んで前端部11にネジ接続（締合）される。その実際適用においては、従来の水
充填ヘッド1は一体型であるインサート成形の構成を採用し、水充填ヘッド1の内糸が外層
側の導水管2を塞ぎやすく、外層の導水管2を套設した風船3は水充填できなくなるおそれ
がある。一方、本実用新案の水充填ヘッド1は分体的構成設計を採用し、後端部12の外ネ
ジ122がネジ溝1121内にねじり込み、前端部11の内糸を遮蔽する。これによって、後端部1
2の取付穴121を介して前端部11のキャビティを完全に露出しているので、水充填の効果が
優れる。好ましくは、前記後端部12の底端面は第二側面112の端面と面一またはそれより
高くされる。
【００１７】
本実施例では、前記導水管2はチャンパーを有する構成とされ、導水管2はそれぞれチャ
ンパーに連通する第一端21と第二端22を含み、前記導水管2の第一端21が取付穴121を貫通
して導水管2のチャンパーが前記キャビティに連通するように形成されており、前記導水
管2の第二端22に複数対の穴が開設されている。
【００１８】
実際適用において、導水管2の第一端21は外部の水を受けて外水をキャビティ内に導入
する。キャビティ内の水は第二端22から風船3内に流入する。これにより、風船3への水充
填を実現する。具体的には、導水管2の第二端22に対向穴を設けることにより、キャビテ
ィ内の一部水流を対向穴から流出させる。これにより、風船3への水充填速度を向上する
。もちろん、他の実施例では、導水管2の第二端22は密閉構成としてもよく、すなわちそ
のまま導水管2の第二端22の対向穴により風船3に対して水充填行えば良い。
【００１９】
本実施例では、さらに風船3に取外し可能に接続されるための環形固定部品4を含み、風
船における開口側の一端が導水管2を套設して環形固定部品4が風船3を套設することによ
り風船3を導水管2に固定接続する。具体的には、前記環形固定部品4は環形ゴム部材とす
る。環形ゴム部材の直径は導水管2の直径より略大径である。風船3に対して水を充填する
前には、まず風船3における開口端に導水管2を挿設し、次いでに環形ゴム部材に風船3を
套設させる。これにより、風船3の開口をしっかり締めることができ、言い換えれば風船3
を予め締めることができる。そして、環形ゴム部材の直径は風船3の開口直径より略小径
でるので、風船3が導水管2から脱落することを防止できる。風船3への水充填過程におい
ては、風船3に十分の水が注入されてから、ユーザが水道アダプターを振り落とす。これ
で、重力で風船3が環形ゴム部材から自動的に脱落される。これにより、風船3を取り外し
やすくなる。なお、構成が簡単で、使用が便利になる。
【００２０】
さらに特筆すべきのは、特別な説明や限定がなければ、本願にかかる用語「固定」や「
接続」などは広義的な意味として理解すべきである。用語の具体的な意味は、当業者が具
体的な状況によって理解できる。
【００２１】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【図１】
0003224519.tif 000003
【図２】
0003224519.tif 000004
【図３】
0003224519.tif 000005
【図４】
0003224519.tif 000006
【図５】
0003224519.tif 000007
【図６】
0003224519.tif 000008